【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
複数のアクセスノード（ＡＮ）（５１５）と複数のユーザ端末（５１７）との間の通信を提供するための衛星（５０３、１２０２、１５０２、３４０３）であって、前記複数のＡＮがＡＮカバーエリア（３４５０）にわたって地理的に分布し、前記複数のユーザ端末がユーザカバーエリア（３４６０）にわたって地理的に分布し、前記衛星が、
前記アクセスノード（ＡＮ）カバーエリアに照射するためのフィーダリンクアンテナサブシステム（３４１０）であって、協働フィーダリンク構成伝送要素（３４１９）のアレイ及び協働フィーダリンク構成受信要素（３４１６）のアレイを備える、フィーダリンクアンテナサブシステムと、
前記ユーザカバーエリアに照射するためのユーザリンクアンテナサブシステム（３４２０）であって、協働ユーザリンク構成伝送要素（３４２９）のアレイ及び協働ユーザリンク構成受信要素（３４２６）のアレイを備える、ユーザリンクアンテナサブシステムと、
前記フィーダリンク構成受信要素のうちのそれぞれ１つと、前記ユーザリンク構成伝送要素のうちのそれぞれ１つとの間に各々が結合される、複数の往路リンクトランスポンダ（４１０、３４３０）と、
前記ユーザリンク構成受信要素のうちのそれぞれ１つと、前記フィーダリンク構成伝送要素のうちのそれぞれ１つとの間に各々が結合される、複数の復路リンクトランスポンダ（４１０、３４４０）と、を備える、衛星。
【請求項２】
前記往路リンクトランスポンダ及び前記復路リンクトランスポンダが、ベントパイプトランスポンダである、請求項１に記載の衛星。
【請求項３】
前記複数のＡＮから受信される、複数の時間同期エンドツーエンドビーム加重往路アップリンク信号の受信した重畳されたものから往路ダウンリンク信号を作成するように、前記往路リンクトランスポンダが、前記それぞれのフィーダリンク構成受信要素と結合される、請求項１又は２に記載の衛星。
【請求項４】
前記ユーザリンク構成伝送要素によって伝送される前記複数の往路ダウンリンク信号が、前記ユーザカバーエリアの中に複数の往路ビームを形成することに貢献するように空間的に重畳する、請求項３に記載の衛星。
【請求項５】
前記複数のユーザ端末のうちの少なくともいくつかから受信される、復路アップリンク信号のそれぞれの重畳されたものから復路ダウンリンク信号を作成するように、前記復路リンクトランスポンダが、前記それぞれのユーザリンク構成受信要素と結合される、請求項１〜４のいずれか一項に記載の衛星。
【請求項６】
各往路リンクトランスポンダ及び各復路リンクトランスポンダが、二重極トランスポンダである、請求項１〜５のいずれか一項に記載の衛星。
【請求項７】
前記フィーダリンクアンテナサブシステムが、前記ユーザリンクアンテナサブシステムと開口サイズが異なる、請求項１〜６のいずれか一項に記載の衛星。
【請求項８】
前記フィーダリンクアンテナサブシステム及び前記ユーザリンクアンテナサブシステムが、同じ周波数帯域において動作する、請求項１〜７のいずれか一項に記載の衛星。
【請求項９】
各往路リンクトランスポンダが、第１の周波数帯域で入力を受け取り、第２の周波数帯域で出力し、
各復路リンクトランスポンダが、前記第２の周波数帯域で入力を受け取り、前記第１の周波数帯域で出力する、請求項１〜８のいずれか一項に記載の衛星。
【請求項１０】
前記ユーザカバーエリアが、前記ＡＮカバーエリアと異なる、請求項１〜９のいずれか一項に記載の衛星。
【請求項１１】
前記ＡＮカバーエリアが、単一の隣接するカバーエリアである、請求項１〜１０のいずれか一項に記載の衛星。
【請求項１２】
前記ＡＮカバーエリアが、前記ユーザカバーエリアのサブセットである、請求項１〜１１のいずれか一項に記載の衛星。
【請求項１３】
前記ＡＮカバーエリアが、物理的エリアにおいて前記ユーザカバーエリアの１／５未満である、請求項１〜１２のいずれか一項に記載の衛星。
【請求項１４】
前記フィーダリンクアンテナサブシステムが、フィーダリンク反射器（１５２１、１６２１）を更に備え、
前記ユーザリンクアンテナサブシステムが、ユーザリンク反射器（１５２１、１６２１）を更に備える、請求項１〜１３のいずれか一項に記載の衛星。
【請求項１５】
前記フィーダリンク反射器の前記物理的面積が、前記ユーザリンク反射器の前記物理的面積の少なくとも５倍である、請求項１４に記載の衛星。
【請求項１６】
前記ユーザリンクアンテナサブシステムが、対応する第１のユーザカバーエリアを有する第１のユーザリンクアンテナサブシステムと、第２のユーザカバーエリアを有する第２のユーザリンクアンテナサブシステムを備える、請求項１〜１５に記載の衛星。
【請求項１７】
各往路リンクトランスポンダが、往路リンクスイッチ（４０１０）を備え、
前記往路リンクスイッチが第１のスイッチモードにあるときに、前記往路リンクスイッチが、前記フィーダリンク構成受信要素のそれぞれ１つを、前記第１のユーザリンクアンテナサブシステムの前記ユーザリンク構成伝送要素のそれぞれ１つと結合させ、
前記往路リンクスイッチが第２のスイッチモードにあるときに、前記往路リンクスイッチが、前記フィーダリンク構成受信要素の前記それぞれ１つを、前記第２のユーザリンクアンテナサブシステムの前記ユーザリンク構成伝送要素のそれぞれ１つと結合させる、請求項１６に記載の衛星。
【請求項１８】
各復路リンクトランスポンダが、復路リンクスイッチ（４０１０）を備え、
前記復路リンクスイッチが第１のスイッチモードにあるときに、各復路リンクスイッチが、前記第１のユーザリンクアンテナサブシステムの前記ユーザリンク構成受信要素のそれぞれ１つを、前記フィーダリンク構成伝送要素のそれぞれ１つと結合させ、
前記復路リンクスイッチが第２のスイッチモードにあるときに、各復路リンクスイッチが、前記第２のユーザリンクアンテナサブシステムの前記ユーザリンク構成受信要素のそれぞれ１つを、前記フィーダリンク構成伝送要素の前記それぞれ１つと結合させる、請求項１６又は１７に記載の衛星。
【請求項１９】
前記第１のユーザカバーエリアの第１の部分が、前記第２のユーザカバーエリアと重なり、前記第１のユーザカバーエリアの第２の部分が、前記第２のユーザカバーエリアと重ならない、請求項１６〜１８のいずれか一項に記載の衛星。
【請求項２０】
前記第２のユーザカバーエリアが、前記第１のユーザカバーエリアのサブセットである、請求項１６〜１９のいずれか一項に記載の衛星。
【請求項２１】
前記第１のユーザカバーエリアが、前記第２のユーザカバーエリアと重ならない、請求項１６〜１９のいずれか一項に記載の衛星。
【請求項２２】
前記複数のユーザリンク構成伝送要素が、前記第１のユーザカバーエリアに照射するための第１の複数の構成伝送要素と、前記第２のユーザカバーエリアに照射するための第２の複数の構成伝送要素とを備える、請求項１６〜２１のいずれか一項に記載の衛星。
【請求項２３】
前記第１のユーザリンクアンテナサブシステムが、前記第１のユーザカバーエリアに照射するための第１のユーザリンク反射器を備え、
前記第２のユーザリンクアンテナサブシステムが、前記第２のユーザカバーエリアに照射するための第２のユーザリンク反射器を備える、請求項１６〜２２のいずれか一項に記載の衛星。
【請求項２４】
前記第１のユーザリンク反射器及び前記第２のユーザリンク反射器が、ほぼ同じ物理的面積の反射器である、請求項２３に記載の衛星。
【請求項２５】
各往路リンクトランスポンダが、前記ユーザリンク伝送フィードの第１及び第２のそれぞれ１つと選択的に結合された伝送側を有し、各第１のそれぞれのユーザリンク伝送フィードが、前記第１のユーザリンク反射器に照射するように位置付けられ、各第２のそれぞれのユーザリンク伝送フィードが、前記第２のユーザリンク反射器に照射するように位置付けられ、
各復路リンクトランスポンダが、前記ユーザリンク受信フィードの第１及び第２のそれぞれ１つと選択的に結合された受信側を有し、各第１のそれぞれのユーザリンク受信フィードが、前記第１のユーザリンク反射器に照射するように位置付けられ、各第２のそれぞれのユーザリンク受信フィードが、前記第２のユーザリンク反射器に照射するように位置付けられる、請求項２３又は２４に記載の衛星。
【請求項２６】
前記フィーダリンク反射器が、第１のフィーダリンク反射器であり、
前記ＡＮカバーエリアが、第１のＡＮカバーエリアであり、
前記フィーダリンクアンテナサブシステムが、第２のＡＮカバーエリアに照射するための第２のフィーダリンク反射器を更に備え、
前記複数のＡＮの第１の部分が、前記第１のＡＮカバーエリアにわたって地理的に分布し、前記複数のＡＮの第２の部分が、前記第２のＡＮカバーエリアにわたって地理的に分布する、請求項１〜２５のいずれか一項に記載の衛星。
【請求項２７】
前記フィーダリンク構成受信要素及び前記フィーダリンク伝送要素が、全二重アンテナ要素として実現される、請求項１〜２６のいずれか一項に記載の衛星。
【請求項２８】
前記ユーザリンク構成受信要素及び前記ユーザリンク構成伝送要素が、全二重アンテナ要素として実現される、請求項１〜２７のいずれか一項に記載の衛星。
【請求項２９】
前記ユーザリンクアンテナサブシステムが、ユーザリンク受信アレイアンテナと、ユーザリンク伝送アレイアンテナとを更に備える、請求項１〜２８のいずれか一項に記載の衛星。
【請求項３０】
前記複数のユーザリンク構成受信要素が、第１の周波数範囲を有するユーザリンク受信反射器と関連付けられ、
前記複数のユーザリンク構成伝送要素が、第２の周波数範囲を有するユーザリンク伝送反射器に照射し、
前記ユーザリンク受信反射器及び前記ユーザリンク伝送反射器が、それぞれ、前記第１及び第２の周波数範囲で同じユーザカバーエリアに照射するように各々サイズ決定される、請求項２９に記載の衛星。
【請求項３１】
ビーコン発生器（４２６）を更に備える、請求項１〜３０のいずれか一項に記載の衛星。
【請求項３２】
複数のアクセスノード（ＡＮ）（５１５）と複数のユーザ端末（５１７）との間に通信を提供する、エンドツーエンドリレー（５０３、１２０２、１５０２、３４０３）を介したエンドツーエンドビーム形成のための方法であって、
ＡＮカバーエリアにわたって地理的に分布した前記複数のＡＮから、複数の協働フィーダリンク構成受信要素によって、複数の往路アップリンク信号（５２１）の重畳されたものである複合入力往路信号（５４５）を受信することと、
前記複合入力往路信号から複数の往路ダウンリンク信号（５２２）を発生させることと、
複数の協働ユーザリンク構成伝送要素によって、前記複数の往路ダウンリンク信号を伝送することであって、前記往路ダウンリンク信号が、前記ＡＮカバーエリアと少なくとも部分的に異なるユーザカバーエリアにわたって地理的に分布した複数のユーザ端末に伝送される、伝送することと、を含む、方法。
【請求項３３】
前記伝送が、前記ユーザカバーエリアにおいて複数の往路ユーザビームを形成することに貢献する、請求項３２に記載の方法。
【請求項３４】
前記複数のユーザ端末のうちの少なくともいくつかから、複数の協働ユーザリンク構成受信要素によって、復路アップリンク信号（５２５）を受信することと、
前記受信した復路アップリンク信号から複数の復路ダウンリンク信号（５２７）を発生させることと、
複数の協働フィーダリンク構成伝送要素によって、前記複数のＡＮに前記複数の復路ダウンリンク信号を伝送することと、を更に含む、請求項３２又は３３に記載の方法。
【請求項３５】
前記複数の協働フィーダリンク構成伝送要素から、前記複数のＡＮによって、複数の前記復路ダウンリンク信号（５２７）の重畳されたもの（１７０６）を受信して、複合復路信号（９０７）を形成することと、
復路ビーム形成器において前記複合復路信号を組み合わせて、前記ユーザカバーエリアにおいて複数の復路ユーザビームを形成することに貢献することと、を更に含む、請求項３４に記載の方法。
【請求項３６】
復路ビーム加重値（９３７）に従って、前記組み合わせる前に、前記ビーム形成器において前記複合復路信号に加重することを更に含む、請求項３５に記載の方法。
【請求項３７】
少なくとも前記エンドツーエンドリレーと前記複数のＡＮとの間のそれぞれの経路遅延差を補償するために、前記組み合わせる前に、前記複合復路信号を同期させることを更に含む、請求項３５又は３６に記載の方法。
【請求項３８】
前記エンドツーエンドリレーから、前記複数のＡＮのうちの少なくともいくつかによって、リレービーコン信号を受信することを更に含み、
前記同期が、前記リレービーコン信号に従う、請求項３７に記載の方法。
【請求項３９】
前記復路アップリンク信号の受信が、
第１のユーザカバーエリアにわたって地理的に分布した前記複数のユーザ端末の第１の部分から、前記複数の協働ユーザリンク構成受信要素によって、第１の時間間隔中に、第１の復路アップリンク信号の第１の受信を行なうことと、
第２のユーザカバーエリアにわたって地理的に分布した前記複数のユーザ端末の第２の部分から、前記複数の協働ユーザリンク構成受信要素によって、第２の時間間隔中に、第２の復路アップリンク信号の第２の受信を行なうことと、を含む、請求項３５〜３８のいずれか一項に記載の方法。
【請求項４０】
前記ＡＮカバーエリアが、前記第１のユーザカバーエリアのサブセットであり、
前記第１の時間枠中に、前記エンドツーエンドリレーによって前記複数のＡＮを較正することを更に含む、請求項３９に記載の方法。
【請求項４１】
前記第２のユーザカバーエリアが、前記ＡＮカバーエリアと重ならない、請求項４０に記載の方法。
【請求項４２】
前記第１の時間間隔中に、前記往路アップリンク信号が、第１の周波数範囲を使用して受信され、前記復路アップリンク信号が、前記第１の周波数範囲とは異なる第２の周波数範囲を使用して受信され、
前記第２の時間間隔中に、前記往路アップリンク信号及び前記復路アップリンク信号が、同じ周波数範囲を使用して受信される、請求項４１に記載の方法。
【請求項４３】
前記往路アップリンク信号が、第１の周波数帯域を使用して受信され、
前記復路ダウンリンク信号が、前記第１の周波数帯域と異なる第２の第１の周波数帯域を使用して伝送され、
前記復路アップリンク信号が、前記第１の周波数帯域を使用して受信され、
前記往路ダウンリンク信号が、前記第２の周波数帯域を使用して伝送される、請求項３４〜４２のいずれか一項に記載の方法。
【請求項４４】
前記複数のユーザ端末のうちの少なくともいくつかから、前記複数のユーザリンク構成受信要素に前記復路アップリンク信号を伝送することを更に含む、請求項３４〜４３のいずれか一項に記載の方法。
【請求項４５】
前記ユーザリンク構成伝送要素から、前記ユーザ端末のうちの１つによって、前記複数の往路ダウンリンク信号の空間的な重畳されたもの（５５１）を受信することを更に含む、請求項３２〜４４のいずれか一項に記載の方法。
【請求項４６】
前記複数のＡＮによって、前記複数のフィーダリンク構成受信要素に前記往路アップリンク信号を伝送することを更に含む、請求項３２〜４５のいずれか一項に記載の方法。
【請求項４７】
前記複数のＡＮからの関連した伝送が実質的に同調して前記エンドツーエンドリレーに到達するように、前記複数のＡＮの各々についてそれぞれの相対タイミング調整（２５２４、２５２７、２５４０）を決定することを更に含み、
前記往路アップリンク信号が、前記それぞれの相対タイミング調整に従って、前記複数のＡＮによって伝送される、請求項４６に記載の方法。
【請求項４８】
前記エンドツーエンドリレーから、前記複数のＡＮのうちの少なくともいくつかによって、リレービーコン信号を受信することを更に含み、
前記それぞれの相対タイミング調整が、前記リレービーコン信号に少なくとも部分的に従って決定される、請求項４７に記載の方法。
【請求項４９】
前記エンドツーエンドリレーから、前記複数のＡＮのうちの少なくともいくつかによって、ループバック伝送を受信することを更に含み、
前記それぞれの相対タイミング調整が、前記ループバック伝送に少なくとも部分的に従って決定される、請求項４７又は４８に記載の方法。
【請求項５０】
前記ユーザカバーエリアが、前記ＡＮカバーエリアと異なる、請求項３２〜４９のいずれか一項に記載の方法。
【請求項５１】
前記ＡＮカバーエリアが、単一の隣接するカバーエリアである、請求項３２〜５０のいずれか一項に記載の方法。
【請求項５２】
前記ユーザカバーエリアの第１の部分が、前記ＡＮカバーエリアと重なり、
前記ユーザカバーエリアの第２の部分が、前記ＡＮカバーエリアと重ならない、請求項３２〜５１のいずれか一項に記載の方法。
【請求項５３】
前記ＡＮカバーエリアが、前記ユーザカバーエリアのサブセットであり、前記ＡＮカバーエリアが、物理的面積が前記ユーザカバーエリア（cover area）の１／５未満である、請求項５２に記載の方法。
【請求項５４】
前記伝送が、
第１の複数のユーザリンク構成伝送フィード要素によって、第１のユーザカバーエリア（３４６０ａ）にわたって地理的に分布した第１の複数のユーザ端末に、第１の複数の往路ダウンリンク信号の第１の伝送を行なうことと、
第２の複数のユーザリンク構成伝送フィード要素によって、第２のユーザカバーエリア（３４６０ｂ）にわたって地理的に分布した第２の複数のユーザ端末に、第２の複数の往路ダウンリンク信号の第２の伝送を行なうことと、を含む、請求項３２〜５３のいずれか一項に記載の方法。
【請求項５５】
前記第１の伝送及び前記第２の伝送が、異なる時間に実行される、請求項５４に記載の方法。
【請求項５６】
前記第１の伝送が、第１の複数のユーザビームによって前記第１のユーザカバーエリアに照射することを含み、
前記第２の伝送が、第２の複数のユーザビームによって前記第２のユーザカバーエリアに照射することを含み、
そのため、第１の時間中に、前記第１の複数のユーザビームがアクティブであり、前記第２の複数のユーザビームが非アクティブであり、
そのため、第２の時間中に、前記第２の複数のユーザビームがアクティブであり、前記第１の複数のユーザビームが非アクティブである、請求項５４又は５５に記載の方法。
【請求項５７】
前記第１のユーザカバーエリアの第１の部分が、前記第２のユーザカバーエリアと重なり、前記第１のユーザカバーエリアの第２の部分が、前記第２のユーザカバーエリアと重ならない、請求項５４〜５６のいずれか一項に記載の方法。
【請求項５８】
前記第２のユーザカバーエリアが、前記第１のユーザカバーエリアのサブセットである、請求項５７に記載の方法。
【請求項５９】
前記第１のユーザカバーエリアが、前記第２のユーザカバーエリアと重ならない、請求項５４〜５６のいずれか一項に記載の方法。
【請求項６０】
エンドツーエンドビーム形成システム（５００、１２００、３４００）であって、
エンドツーエンドビーム加重往路アップリンク信号出力を各々が有する、複数の地理的に分布したアクセスノード（５１５）と、
エンドツーエンドリレー（５０３、１２０２、１５０２、３４０３）であって、
前記分布したアクセスノードと無線通信する協働フィーダリンク構成受信要素（４０６、３４１６）のアレイ、
複数のユーザ端末と無線通信する協働ユーザリンク構成伝送要素（４０９、３４２９）のアレイ、及び
前記フィーダリンク構成受信要素のそれぞれ１つと前記ユーザリンク構成伝送要素のそれぞれ１つとの間に各々が結合される、複数の往路リンクベントパイプトランスポンダ（４１０、３４３０）を備える、エンドツーエンドリレーと、を備え、
よって、前記フィーダリンク構成受信要素を介した、複数のビーム加重往路アップリンク信号の重畳されたものの受信が、前記往路リンクベントパイプトランスポンダにおいて往路ダウンリンク信号を形成し、前記ユーザリンク構成伝送要素による前記往路ダウンリンク信号の伝送が、前記複数のユーザ端末のうちの少なくともいくつかにサービスする往路ユーザビームの形成に貢献する、エンドツーエンドビーム形成システム。
【請求項６１】
前記エンドツーエンドリレービーム形成システムが、
前記複数の分布したアクセスノードが位置付けられる対応するアクセスノードカバーエリアを有するフィーダリンクアンテナサブシステム（３４１０）であって、前記協働フィーダリンク構成受信要素のアレイを備える、フィーダリンクアンテナサブシステムと、
前記複数のユーザ端末が地理的に分布した対応するユーザカバーエリアを有するユーザリンクアンテナサブシステム（３４２０）であって、前記協働ユーザリンク構成伝送要素のアレイを備える、ユーザリンクアンテナサブシステムと、を更に備え、
前記アクセスノードカバーエリアが、前記ユーザカバーエリアと異なる、請求項６０に記載のエンドツーエンドリレービーム形成システム。
【請求項６２】
前記フィーダリンクアンテナサブシステムが、フィーダリンク反射器（１５２１、１６２１）を更に備え、
前記ユーザリンクアンテナサブシステムが、ユーザリンク反射器（１５２１、１６２１）を更に備える、請求項６１に記載のエンドツーエンドリレービーム形成システム。
【請求項６３】
前記協働ユーザリンク構成伝送要素のアレイと無線通信して、ユーザリンク構成伝送要素によって伝送される前記往路ダウンリンク信号の空間的な重畳されたものを各々が受信する、前記複数のユーザ端末（５１７）を更に備える、請求項６０〜６２のいずれか一項に記載のエンドツーエンドリレービーム形成システム。
【請求項６４】
往路ビーム形成器（５１３、５２９、３００６）であって、
往路ビーム信号入力と、
前記複数の分布したアクセスノードと通信する複数のエンドツーエンドビーム加重往路アップリンク信号出力であって、一組のエンドツーエンド往路ビーム加重値に従って、前記往路ビーム信号入力のそれぞれの加重値に対応する、前記エンドツーエンドビーム加重往路アップリンク信号出力とを備える、往路ビーム形成器を更に備える、請求項６０〜６３のいずれか一項に記載のエンドツーエンドリレービーム形成システム。
【請求項６５】
前記往路ビーム形成器と前記複数の分布したアクセスノードとの間に結合される配信ネットワーク（５１８）を更に備える、請求項６４に記載のエンドツーエンドリレービーム形成システム。
【請求項６６】
前記エンドツーエンドリレーが、
前記分布したアクセスノードと無線通信する協働フィーダリンク構成伝送要素（４０９、３４１９）のアレイと、
前記ユーザ端末と無線通信するユーザリンク構成受信要素（４０６、３４２６）のアレイと、
前記ユーザリンク構成受信要素のそれぞれ１つと前記フィーダリンク構成伝送要素のそれぞれ１つとの間に各々が結合される、複数の復路リンクベントパイプトランスポンダ（４１０、３４４０）と、を更に備え、
それによって、前記協働ユーザリンク構成受信要素のアレイを介した復路アップリンク信号の受信が、前記復路リンクベントパイプトランスポンダにおいて復路ダウンリンク信号を形成する、請求項６０〜６５のいずれか一項に記載のエンドツーエンドリレービーム形成システム。
【請求項６７】
前記複数のユーザ端末が、前記協働ユーザリンク構成受信要素のアレイと各々無線通信して、複数の前記ユーザリンク構成受信要素にそれぞれの復路アップリンク信号を伝送する、請求項６６に記載のエンドツーエンドリレービーム形成システム。
【請求項６８】
復路ビーム形成器（５１３、５３１、３０１６）を更に備え、前記復路ビーム形成器が、
前記複数の分布したアクセスノードのそれぞれ１つと各々が通信して、前記分布したアクセスノードによって受信した複数の前記復路ダウンリンク信号のそれぞれの重畳されたもの（１７０６）を受信する、複数の復路ビーム信号入力と、
一組のエンドツーエンド復路ビーム加重値に従って加重された前記復路ダウンリンク信号の前記重畳されたものの組み合わせに対応する、エンドツーエンドビーム加重復路信号出力と、を備える、請求項６６又は６７に記載のエンドツーエンドビームリレービーム形成システム。
【請求項６９】
前記往路ビーム形成器及び前記復路ビーム形成器に結合される、ビーム加重値発生器（９１０、９１７、９３５）を更に備える、請求項６８に記載のエンドツーエンドリレービーム形成システム。
【請求項７０】
各往路リンクベントパイプトランスポンダが、第１の周波数帯域で入力を受け取り、第２の周波数帯域で出力し、
各復路リンクベントパイプトランスポンダが、前記第２の周波数帯域で入力を受け取り、前記第１の周波数帯域で出力する、請求項６６〜６９のいずれか一項に記載のエンドツーエンドリレービーム形成システム。
【請求項７１】
前記協働ユーザリンク構成伝送要素（３４２９ａ）のアレイが、第１のユーザカバーエリアにわたって地理的に分布した第１の複数のユーザ端末と無線通信し、第２のユーザカバーエリアにわたって地理的に分布した第２の複数のユーザ端末と無線通信する協働ユーザリンク構成伝送要素（３４２９ｂ）の第２のアレイを更に備える、請求項６０〜７０に記載のエンドツーエンドリレービーム形成システム。
【請求項７２】
各往路リンクベントパイプトランスポンダが、入力側及び出力側を有し、前記入力側が、前記フィーダリンク構成受信要素の前記それぞれ１つに結合され、前記出力側が、前記協働ユーザリンク構成伝送要素の第１のアレイのそれぞれ１つ、及び前記協働ユーザリンク構成伝送要素の第２のアレイのそれぞれ１つを選択的に結合させるためのスイッチ（４０１０）を備える、請求項７１に記載のエンドツーエンドリレービーム形成システム。
【請求項７３】
前記エンドツーエンドリレーが、ビーコン信号発生器（４２６）を更に備え、
前記複数の分布したアクセスノードのうちの少なくともいくつかが、ビーコン信号受信機を備え、
よって、前記複数の分布したアクセスノードが、前記ビーコン信号発生器によって伝送されるリレービーコン信号に従って、前記複数のフィーダリンク構成受信要素と時間同期無線通信する、請求項６０〜７２に記載のエンドツーエンドリレービーム形成システム。
【請求項７４】
エンドツーエンドリレー（５０３、１２０２、１５０２、３４０３）を使用したエンドツーエンドビーム形成のための方法であって、
前記エンドツーエンドリレーの複数のトランスポンダを介して、複数の地理的に分布したアクセスノードを往路ユーザビームカバーエリア（５１９）の中のユーザ端末と結合させる、複数のエンドツーエンド往路多重経路チャネル（２２０８）の往路ビーム加重値（９１８）を計算することであって、各エンドツーエンド往路多重経路チャネルが、前記トランスポンダによって誘導される多重経路を有する、計算することと、
各往路アップリンク信号が前記アクセスノードのそれぞれ１つに固有であるように、前記往路ビーム加重値を往路ビーム信号（５１１）に適用することによって、複数の往路アップリンク信号（５２１）を発生させることと、
各往路アップリンク信号を、そのそれぞれのアクセスノードによって時間同期様式で伝送することと、
前記複数のアクセスノードからの前記エンドツーエンドリレーの前記複数のトランスポンダの各々によって、それぞれの複合入力往路信号（５４５）を受信することであって、それぞれの複合入力往路信号が、前記複数の往路アップリンク信号の重畳されたものを含む、受信することと、
前記往路ダウンリンク信号が往路ユーザビームを形成するように、前記複数のトランスポンダの各々によって、前記それぞれの複合入力往路信号に対応するそれぞれの往路ダウンリンク信号（５２２）を伝送することと、を含む、方法。
【請求項７５】
前記ユーザ端末において前記往路ダウンリンク信号の重畳されたもの（５５１）を受信することと、
前記往路ダウンリンク信号の前記受信した重畳されたものから、前記ユーザ端末によって、前記往路データ信号の少なくとも一部分を復元することと、を更に含む請求項７４に記載の方法。
【請求項７６】
前記複合入力往路信号の受信が、複数の受信アンテナ要素によるものであり、
前記往路ダウンリンク信号の伝送が、複数の伝送アンテナ要素によるものであり、
前記複数のトランスポンダの各々が、前記受信アンテナ要素のそれぞれ１つを前記伝送アンテナ要素のそれぞれ１つと結合させる、請求項７４又は７５に記載の方法。
【請求項７７】
前記往路ユーザビームが、それぞれ一組のユーザ端末にサービスを提供する往路ユーザビームカバー（５１９）エリアに各々が対応する複数の往路ユーザビームのうちの１つであり、
前記計算が、前記往路ダウンリンク信号が前記複数の往路ユーザビームを形成するように、各エンドツーエンド往路多重経路チャネルのそれぞれの往路ビーム加重値（９１８）を計算することを含む、請求項７４〜７６のいずれか一項に記載の方法。
【請求項７８】
前記往路ビーム信号が、各々が前記往路ユーザビームの関連付けられる１つに伝送するための複数の往路ビーム信号であり、
前記発生が、前記関連付けられる往路ユーザビームに対応する前記エンドツーエンド往路多重経路チャネルに従って、前記往路ビーム加重値を各往路ビーム信号に適用することを含む、請求項７７に記載の方法。
【請求項７９】
トランスポンダよりも多くの往路ユーザビームがある、請求項７７又は７８に記載の方法。
【請求項８０】
前記発生が、時分割多重化又は周波数分割多重化のうちの少なくとも１つに従って、複数のユーザデータストリーム（５０９）を多重化することによって、前記往路ビーム信号を形成することを含み、前記複数のユーザデータストリームの各々が、前記往路ユーザビームによってサービスを提供される複数のユーザ端末のうちの少なくとも１つに伝送するためのものである、請求項７４〜７９のいずれか一項に記載の方法。
【請求項８１】
トランスポンダよりも多くのアクセスノードがある、請求項７４〜８０のいずれか一項に記載の方法。
【請求項８２】
アクセスノード数が、往路ユーザビーム数に等しくない、請求項７４〜８１のいずれか一項に記載の方法。
【請求項８３】
前記計算が、前記複数の前記エンドツーエンド往路多重経路チャネルの各々のエンドツーエンド往路チャネルゲインを推定することを含む、請求項７４〜８２のいずれか一項に記載の方法。
【請求項８４】
前記推定が、複数のエンドツーエンド往路多重経路チャネルの各々のエンドツーエンド往路チャネルゲインを推定することを含み、各エンドツーエンド往路多重経路チャネルが、前記複数のアクセスノードのうちの１つを、複数の往路ユーザビームカバーエリアのうちの１つの中の基準場所と結合させる、請求項８３に記載の方法。
【請求項８５】
前記推定が、往路チャネルマトリックスの要素の各々が前記複数のエンドツーエンド往路多重経路チャネルをモデル化するように、Ａｔ×Ｅ×Ｃｒとして前記往路チャネルマトリックスを推定することを含み、
Ａｔが、前記エンドツーエンドリレーから前記ユーザ端末への複数のダウンリンクをモデル化する、ダウンリンク放射マトリックスであり、
Ｅが、前記複数のトランスポンダをモデル化する、ペイロードマトリックスであり、
Ｃｒが、前記アクセスノードから前記エンドツーエンドリレーへの複数のアップリンクをモデル化する、アップリンク放射マトリックスである、請求項８３又は８４に記載の方法。
【請求項８６】
前記往路チャネルマトリックスが、各々がＫに等しい次元数を有するＭ個のベクトルを有し、よって、各ベクトルが、前記複数のアクセスノードのうちのそれぞれ１つと、Ｋ個の往路ユーザビームカバーエリアの中の基準場所との間の多重経路通信の前記エンドツーエンド往路チャネルゲインをモデル化する、請求項８５に記載の方法。
【請求項８７】
対角マトリックスによって前記ペイロードマトリックスを推定することを更に含む、請求項８５又は８６に記載の方法。
【請求項８８】
前記エンドツーエンドリレーを上に配置したクラフトの配備の後に、Ａｔ、Ｅ、又はＣｒのうちの少なくとも１つを推定することを更に含む、請求項８５〜８７のいずれか一項に記載の方法。
【請求項８９】
前記往路ビーム信号を受信することを更に含み、
前記計算が、前記受信の前に行われる、請求項７４〜８８のいずれか一項に記載の方法。
【請求項９０】
往路ビーム形成器において前記往路ビーム信号を受信することと、
前記往路ビーム形成器において前記往路ビーム加重値を前記往路ビーム信号に適用した後に、前記往路ビーム形成器から前記複数のアクセスノードに前記往路アップリンク信号を通信することと、更に含む、請求項７４〜８９のいずれか一項に記載の方法。
【請求項９１】
前記複数のアクセスノードの構成の変化の後に、再推定エンドツーエンド往路チャネルゲインの関数として、前記往路ビーム加重値を再計算することを更に含む、請求項７４〜９０のいずれか一項に記載の方法。
【請求項９２】
前記ユーザ端末から、前記エンドツーエンドリレーの前記複数のトランスポンダの各々において、それぞれの復路アップリンク信号（５２５）を受信することと、
前記複数のトランスポンダによって、複数の復路ダウンリンク信号（５２７）を伝送することであって、各復路ダウンリンク信号が、前記復路アップリンク信号のそれぞれ１つに対応する、伝送することと、
それぞれの復路ダウンリンク信号（５２７）を受信して、前記複数のアクセスノードの各々において複合復路信号（９０７）を形成することであって、それぞれの複合復路信号が、前記複数の復路ダウンリンク信号の重畳されたもの（１７０６）を含む、形成することと、
復路ビーム加重値（９３７）を前記複数の複合復路信号に適用することであって、前記復路ビーム加重値が、前記複数のトランスポンダを介して、前記ユーザ端末を前記複数のアクセスノードと結合させるエンドツーエンド復路多重経路チャネルについて計算される、適用することと、によって、復路ユーザビームを形成することを更に含み、
前記復路ビーム加重値の適用が、各複合復路信号に、その複合復路信号を受信した前記アクセスノードと関連付けられる前記復路ビーム加重値を適用することを含む、請求項７４〜９１のいずれか一項に記載の方法。
【請求項９３】
前記ユーザ端末によって、前記複数のトランスポンダに前記復路アップリンク信号を伝送することを更に含み、
前記往路アップリンク信号の伝送が、前記複数のトランスポンダへの前記複数のアクセスノードによるものであり、
前記往路アップリンク信号の前記伝送、及び前記復路アップリンク信号の前記伝送が、時分割二重化される、請求項９２に記載の方法。
【請求項９４】
第１の周波数範囲が、前記往路アップリンク信号に割り当てられ、
前記第１の周波数範囲と重ならない第２の周波数範囲が、前記復路アップリンク信号に割り当てられる、請求項９２又は９３に記載の方法。
【請求項９５】
エンドツーエンドリレー（５０３、１２０２、１５０２、３４０３）を使用したエンドツーエンドビーム形成のための方法であって、
前記エンドツーエンドリレーの複数のトランスポンダの各々において、それぞれの復路アップリンク信号（５２５）を受信することと、
前記複数のトランスポンダによって複数の復路ダウンリンク信号（５２７）を伝送することであって、各復路ダウンリンク信号が、前記復路アップリンク信号のそれぞれ１つに対応する、伝送することと、
複数のアクセスノードの各々において、前記複数の復路ダウンリンク信号の対応する重畳されたもの（１７０６）を受信して、複合復路信号（９０７）を形成することと、
復路ビーム加重値（９３７）を前記複数の複合復路信号に適用することによって、復路ユーザビームを形成することであって、前記復路ビーム加重値の各々が、前記ユーザカバーエリア内の基準場所を前記複数のアクセスノードと結合させる複数のエンドツーエンド復路多重経路チャネルのうちの１つについて計算され、各チャネルが、前記複数のトランスポンダを通る経路によって発生する多重経路を有する、形成することと、を含み、
前記復路ビーム加重値の適用が、各複合復路信号に、その複合復路信号を受信した前記アクセスノードと関連付けられた前記復路ビーム加重値を適用することを含む、方法。
【請求項９６】
前記ユーザ端末から、前記エンドツーエンドリレーの前記複数のトランスポンダのうちの少なくともいくつかに、前記復路アップリンク信号を伝送することを更に含む、請求項９５に記載の方法。
【請求項９７】
前記復路アップリンク信号の受信が、複数の受信アンテナ要素によるものであり、
前記復路ダウンリンク信号の伝送が、複数の伝送アンテナ要素によるものであり、
前記複数のトランスポンダの各々が、前記受信アンテナ要素のそれぞれ１つを前記伝送アンテナ要素のそれぞれ１つと結合させる、請求項９５又は９６記載の方法。
【請求項９８】
前記複合復路信号を受信する前に、前記復路ビーム加重値を計算することを更に含む、請求項９５〜９７のいずれか一項に記載の方法。
【請求項９９】
前記ユーザ端末が、ユーザ端末のそれぞれ一組にサービスを提供する復路ユーザビームカバーエリア（５１９）に各々が対応する複数の復路ユーザビームのうちの１つの中にあり、
各復路ユーザビームが、前記複数のトランスポンダを介して、ユーザビームカバーエリア内のそれぞれの場所を前記複数のアクセスノードと結合させるエンドツーエンド復路多重経路チャネルのそれぞれ一組と関連付けられ、
前記復路ビーム加重値が、前記エンドツーエンド復路多重経路チャネルの前記それぞれの組の各々の復路ビーム加重値を計算することによって計算される、請求項９５〜９８のいずれか一項に記載の方法。
【請求項１００】
前記それぞれの復路アップリンク信号が、各復路ビーム信号が、関連付けられた復路ユーザビームカバーエリアの中のそれぞれのユーザ端末から生じる伝送と関連付けられる、複数の復路ビーム信号（９１５）を備え、
前記形成が、各複合復路信号に、前記複合復路信号を受信した前記アクセスノード及び前記関連付けられた伝送が生じた前記復路ユーザビームカバーエリアと関連付けられた前記それぞれの復路ビーム加重値を適用することを含む、請求項９９に記載の方法。
【請求項１０１】
アクセスノード数が、復路ユーザビーム数に等しくない、請求項９９又は１００に記載の方法。
【請求項１０２】
トランスポンダよりも多くの復路ユーザビームが存在する、請求項９９〜１０１に記載の方法。
【請求項１０３】
トランスポンダよりも多くのアクセスノードが存在する、請求項９５〜１０２のいずれか一項に記載の方法。
【請求項１０４】
前記復路ビーム加重値の各々が、前記エンドツーエンド復路多重経路チャネルの各々のエンドツーエンド復路チャネルゲインを推定することによって計算される、請求項９５〜１０３のいずれか一項に記載の方法。
【請求項１０５】
前記推定が、前記エンドツーエンド復路多重経路チャネルの各々のエンドツーエンド復路チャネルゲインを推定することを含み、各エンドツーエンド復路多重経路チャネルが、複数のトランスポンダを介して、複数の復路ユーザビームカバーエリアのそれぞれ１つの中の基準場所を前記複数のアクセスノードのうちの１つと結合させる、請求項１０４に記載の方法。
【請求項１０６】
前記推定が、復路チャネルマトリックスの各要素が前記エンドツーエンド復路多重経路チャネルのうちの１つの前記エンドツーエンドチャネルゲインをモデル化するように、Ｃｔ×Ｅ×Ａｒとして前記復路チャネルマトリックスを推定することを含み、
Ｃｔが、前記エンドツーエンドリレーから前記アクセスノードへの複数のダウンリンクをモデル化する、ダウンリンク放射マトリックスであり、
Ｅが、前記複数のトランスポンダをモデル化する、ペイロードマトリックスであり、
Ａｒが、前記復路ユーザビームから前記エンドツーエンドリレーへの少なくとも１つのアップリンクをモデル化する、アップリンク放射マトリックスである、請求項１０４又は１０５に記載の方法。
【請求項１０７】
前記復路チャネルマトリックスが、Ｍ個に等しい次元数を各々が有するＫ個のベクトルを有し、よって、各ベクトルが、前記Ｋ個の復路ユーザビームカバーエリアのうちの１つの中のそれぞれの基準場所と、前記Ｍ個のアクセスノードとの間の多重経路通信の前記エンドツーエンド復路チャネルゲインをモデル化する、請求項１０６に記載の方法。
【請求項１０８】
対角マトリックスによって前記ペイロードマトリックスを推定することを更に含む、請求項１０６又は１０７に記載の方法。
【請求項１０９】
前記エンドツーエンドリレーを上に配置したクラフトの配備後に、Ａｒ、Ｅ、又はＣｔのうちの少なくとも１つを推定することを更に含む、請求項１０６〜１０８のいずれか一項に記載の方法。
【請求項１１０】
各往路アップリンク信号が前記アクセスノードのそれぞれ１つに固有であるように、往路ビーム加重値（９１８）を往路ビーム信号（５１１）に適用することによって、複数の往路アップリンク信号（５２１）を発生させることと、
各往路アップリンク信号を、そのそれぞれのアクセスノードによって伝送することと、
前記複数のアクセスノードからの前記エンドツーエンドリレーの前記複数のトランスポンダの各々によって、それぞれの複合入力往路信号（５４５）を受信することであって、それぞれの複合入力往路信号が、前記複数の往路アップリンク信号の重畳されたものを備える、受信することと、
前記それぞれの往路ダウンリンク信号が前記往路ユーザビームを形成するように、前記複数のトランスポンダの各々によって、前記それぞれの複合入力往路信号に対応するそれぞれの往路ダウンリンク信号９５２２）を伝送することと、によって、往路ユーザビームを形成することを更に含む、請求項９５〜１０９のいずれか一項に記載の方法。
【請求項１１１】
ユーザ端末（５１７）と通信するためのエンドツーエンドビーム形成システム（５００、１２００、３４００）であって、
複数の地理的に分布したアクセスノード（５１５）と、
複数の受信／伝送信号経路（１７０２）を有するエンドツーエンドリレー（５０３、１２０２、１５０２、３４０３）であって、受信／伝送信号経路の各々が、
アップリンクを通じて前記ユーザ端末と無線通信して、前記ユーザ端末からそれぞれの復路アップリンク信号を受信する受信アンテナ要素（４０６、３４１６）と、
複数のダウンリンクを介して、前記アクセスノードに複数の復路ダウンリンク信号のそれぞれ１つを伝送するための伝送アンテナ要素（４０９、３４２９）であって、前記複数の復路ダウンリンク信号が、各々、前記それぞれの復路アップリンク信号に対応し、
よって、前記復路ダウンリンク信号のそれぞれの重畳されたもの（１７０６）が、前記アクセスノードの各々によって受信され、それによって、それぞれの複合復路信号（９０７）がもたらされる、伝送アンテナ要素と、
復路ビーム形成器（５１３、５３１、３０１６）であって、
前記複数のアクセスノードの各々と通信するアクセスノード入力（９３１）と、
前記復路ビーム信号が前記複合復路信号を使用して発生されるように復路ビーム信号を通信するための復路データ信号出力（９３３）とを備える、復路ビーム形成器と、を備える、エンドツーエンドビーム形成システム。
【請求項１１２】
復路ユーザビームカバーエリアの中に配置され、前記アップリンクを介して前記複数の受信／伝送信号経路と無線通信する復路アップリンク信号出力を有する、前記ユーザ端末を更に備える、請求項１１１に記載のエンドツーエンドビーム形成システム。
【請求項１１３】
前記ユーザ端末が、ユーザ端末のそれぞれ一組にサービスを提供するユーザビームカバーエリアに各々が対応する、複数の復路ユーザビームカバーエリアのうちの１つの中にあり、
各受信アンテナ要素が、それぞれのアップリンクを通じて複数の前記一組のユーザ端末と無線通信して、前記複数の一組のユーザ端末から複数の復路アップリンク信号の重畳されたものを受信し、
よって、各ダウンリンク信号が、前記複数の復路アップリンク信号の複合物である、請求項１１１又は１１２に記載のエンドツーエンドビーム形成システム。
【請求項１１４】
受信／伝送信号経路よりも多くの復路ユーザビームがある、請求項１１３に記載のエンドツーエンドビーム形成システム。
【請求項１１５】
前記アクセスノード数が、復路ユーザビーム数に等しくない、請求項１１３又は１１４に記載のエンドツーエンドビーム形成システム。
【請求項１１６】
ビーム加重値出力を備えるビーム加重値発生器（９１０、９３５）を更に備え、
前記復路ビーム形成器が、前記ビーム加重値出力と通信して、一組の復路ビーム加重値を受信する、ビーム加重値入力（９３９）を更に備え、
それによって、前記復路ビーム信号が前記復路ビーム加重値を各複合復路信号に適用することによって発生され、各ビーム加重値が、前記それぞれの複合復路信号を受信した前記アクセスノードと関連付けられている、請求項１１１〜１１５のいずれか一項に記載のエンドツーエンドビーム形成システム。
【請求項１１７】
前記複数の受信／伝送信号経路を介して前記ユーザ端末を前記アクセスノードと結合させるエンドツーエンド復路複合経路チャネルのための、推定エンドツーエンドチャネルゲイン出力を有する、チャネル推定器（９４３）を更に備え、
前記ビーム加重値発生器が、前記推定エンドツーエンドチャネルゲインと通信し、前記推定エンドツーエンド復路チャネルゲインの関数として、前記一組の復路ビーム加重値を出力する、請求項１１６に記載のエンドツーエンドビーム形成システム。
【請求項１１８】
前記チャネル推定器が、
前記伝送アンテナ要素から前記アクセスノードへの複数のダウンリンク経路をモデル化する、ダウンリンク放射マトリックス（Ｃｔ）、
前記複数の受信／伝送信号経路をモデル化する、ペイロードマトリックス（Ｅ）、及び
前記ユーザ端末から前記受信アンテナ要素への複数のアップリンク経路をモデル化する、アップリンク放射マトリックス（Ａｒ）が記憶された、チャネルデータストア（９４１）を備え、
前記エンドツーエンド復路多重経路チャネルの前記エンドツーエンド復路チャネルゲインが、復路チャネルマトリックス（Ｃｔ×Ｅ×Ａｒ）の要素として推定される、請求項１１７に記載のエンドツーエンドビーム形成システム。
【請求項１１９】
前記エンドツーエンドリレーを上に配置した、配備された非地上クラフトを更に備え、Ａｔ、Ｅ、又はＣｔのうちの少なくとも１つが、前記クラフトの配備後に推定される、請求項１１８に記載のエンドツーエンドビーム形成システム。
【請求項１２０】
Ｅが、前記クラフトの配備前に、前記エンドツーエンドリレーについて測定される、請求項１１９に記載のエンドツーエンドビーム形成システム。
【請求項１２１】
前記復路チャネルマトリックスが、前記複合復路信号を受信する前に前記チャネルデータストアにおいて推定され、記憶される、請求項１１８〜１２０のいずれか一項に記載のエンドツーエンドビーム形成システム。
【請求項１２２】
受信／伝送信号経路よりも多くのアクセスノードがある、請求項１１１〜１２１のいずれか一項に記載のエンドツーエンドビーム形成システム。
【請求項１２３】
前記アクセスノード及び前記復路ビーム形成器と通信する配信ネットワーク（５１８）を更に備える、請求項１１１〜１２２のいずれか一項に記載のエンドツーエンドビーム形成システム。
【請求項１２４】
前記アクセスノード及び前記ユーザ端末が、地球端末であり、
前記エンドツーエンドリレーが、非地上クラフトに配置される、請求項１１１〜１２３のいずれか一項に記載のエンドツーエンドビーム形成システム。
【請求項１２５】
複数のアクセスノードが、衛星アクセスノードであり、
前記エンドツーエンドリレーが、衛星に配置される、請求項１１１〜１２４のいずれか一項に記載のエンドツーエンドビーム形成システム。